(57)【要約】【課題】  ＬＥＤ非点灯時のウインドウ越しにＬＥＤが透けて見えるのを抑えることによる高いデザイン性と、ＬＥＤ点灯時の輝度、被写体照度の低下を防ぎ、暗所にてより明るく被写体を照らすことが可能な照明機能付携帯機器を提供する。【解決手段】  携帯機器本体に装着されたカメラと、カメラ撮影時に発光する発光ダイオード２と、この発光ダイオードを覆い該発光ダイオードの光を透過させるウインドウ６と、上記発光ダイオードを駆動する駆動回路４と、上記駆動回路を制御する制御回路３とを有する携帯機器において、上記ウインドウ６内で上記発光ダイオードの前面に配設された光透過規制手段１を備え、該光透過規制手段１は、上記発光ダイオードの点灯時に光を透過させ、上記発光ダイオードの非点灯時に光の透過を規制する構成とする。【選択図】図１
2005164963.tif 000002
【特許請求の範囲】
【請求項１】
携帯機器本体に装着されたカメラと、カメラ撮影時に発光する発光ダイオードと、この発光ダイオードを覆い該発光ダイオードの光を透過させるウインドウと、上記発光ダイオードを駆動する駆動回路と、上記駆動回路を制御する制御回路とを有する携帯機器において、上記ウインドウ内で上記発光ダイオードの前面に配設された光透過規制手段を備え、該光透過規制手段は、上記発光ダイオードの点灯時に光を透過させ、上記発光ダイオードの非点灯時に光の透過を規制することを特徴とする照明機能付携帯機器。
【請求項２】
携帯機器本体に装着されたカメラと、カメラ撮影時に発光する発光ダイオードと、この発光ダイオードを覆い該発光ダイオードの光を透過させるウインドウと、上記発光ダイオードを駆動する駆動回路と、上記駆動回路を制御する制御回路とを有し、操作されることによりカメラ動作モードまたは別の動作モードで動作する携帯機器において、上記ウインドウ内で上記発光ダイオードの前面に配設された光透過規制手段を備え、該光透過規制手段は、カメラ動作モード時に光を透過させ、別の動作モード時に光の透過を規制することを特徴とする照明機能付携帯機器。
【請求項３】
携帯機器本体に装着されたカメラと、カメラ撮影時に発光する発光ダイオードと、この発光ダイオードを覆い発光ダイオードの光を透過させるウインドウと、上記発光ダイオードを駆動する駆動回路と、上記駆動回路を制御する制御回路とを有する携帯機器において、上記ウインドウ内で上記発光ダイオードの前面に配設された非透過シートと、この非透過シートに係合し、上記発光ダイオードの点灯時に上記非透過シートを上記発光ダイオードの前面から他の位置へ移動させ、上記発光ダイオードの非点灯時に上記非透過シートを上記発光ダイオードの前面に移動させるアクチュエータとを備えたことを特徴とする照明機能付携帯機器。
【請求項４】
携帯機器本体に装着されたカメラと、カメラ撮影時に発光する発光ダイオードと、この発光ダイオードを覆い発光ダイオードの光を透過させるウインドウと、上記発光ダイオードを駆動する駆動回路と、上記駆動回路を制御する制御回路とを有する携帯機器において、上記ウインドウ内で上記発光ダイオードの前面に配設された電子シャッタを備え、上記発光ダイオードの点灯時に上記制御回路によって上記電子シャッタを開くと共に、上記発光ダイオードの非点灯時に上記制御回路によって上記電子シャッタを閉じるようにしたことを特徴とする照明機能付携帯機器。
【請求項５】
上記発光ダイオードと上記電子シャッタとの間にレンズを配設したことを特徴とする請求項４記載の照明機能付携帯機器。
【請求項６】
上記携帯機器本体は携帯電話機であることを特徴とする請求項１〜請求項５のいずれか１項記載の照明機能付携帯機器。
【発明の詳細な説明】
【技術分野】
【０００１】
この発明は、照明機能付携帯機器に関するものである。
【背景技術】
【０００２】
従来の照明機能付携帯機器、特にカメラを具備した携帯電話機は、カメラ撮影時の補助照明用光源として電話機本体に発光ダイオード（以下ＬＥＤという）が装着され、このＬＥＤの光を透過するウインドウによって覆う構造とされているが、ＬＥＤの非点灯時に、ＬＥＤがウインドウ越しに透けて見えないようにするため、ウインドウとＬＥＤとの間に白濁の拡散シートが配設されていた。
【０００３】
なお、ＬＥＤ点灯時の輝度、被写体照度を優先し、拡散シートを配設しない場合もあった。（例えば、特許文献１参照）。
【０００４】
【特許文献１】特開２００１−１８６２３０号公報（段落０００８−００１３、図６）
【発明の開示】
【発明が解決しようとする課題】
【０００５】
従来の照明機能付携帯電話機は以上のように構成され、拡散シートを配設しない場合には、ＬＥＤの非点灯時にＬＥＤがウインドウ越に透けて見え、デザイン性を損なうという問題点があった。また、拡散シートを配設する場合には、拡散シートの白濁が強いほど、非点灯時におけるＬＥＤの透けを抑えることが可能であるが、ＬＥＤ点灯時の光の透過率が低下するため、ＬＥＤ点灯時の輝度、被写体照度が低下するという問題点があった。
【０００６】
一方、携帯機器、特に携帯電話機においては小型化が進んでおり、ポケットへの収納性などの配慮から筐体（携帯電話機本体）の薄型化が重要性を増している。
しかし、筐体を薄型化すると、照明用光源であるＬＥＤとその前面に配設される拡散シートとが、より近接することになり、ウインドウ越しにＬＥＤが透けて見えやすくなるため、これを防止するためには濃い拡散シートを使用する必要があり、その結果、ＬＥＤ点灯時の輝度、被写体照度が低下することになる。
【０００７】
従って筐体が薄型になると、従来の携帯電話機の構造では、暗所にてより明るく被写体を照らすことが困難であるという問題点があった。
【０００８】
この発明は上記のような問題点を解決するためになされたもので、ＬＥＤ非点灯時のウインドウ越しにＬＥＤが透けて見えるのを抑えることによる高いデザイン性と、ＬＥＤ点灯時の輝度、被写体照度の低下を防ぎ、暗所にてより明るく被写体を照らすことが可能な照明機能付携帯機器を提供することを目的とする。
【課題を解決するための手段】
【０００９】
この発明に係る照明機能付携帯機器は、携帯機器本体に装着されたカメラと、カメラ撮影時に発光する発光ダイオードと、この発光ダイオードを覆い該発光ダイオードの光を透過させるウインドウと、上記発光ダイオードを駆動する駆動回路と、上記駆動回路を制御する制御回路とを有する携帯機器において、上記ウインドウ内で上記発光ダイオードの前面に配設された光透過規制手段を備え、該光透過規制手段は、上記発光ダイオードの点灯時に光を透過させ、上記発光ダイオードの非点灯時に光の透過を規制するようにしたものである。
【発明の効果】
【００１０】
この発明に係る照明機能付携帯機器は以上のように構成されているため、ウインドウ越しにＬＥＤが透けて見えるのを防ぎ、デザイン性を保つことが可能である。
また、ＬＥＤを点灯させる場合には、アクチュエータにより非透過シートをＬＥＤの前面から他の位置へ移動させるため、非透過シートによるＬＥＤ光の透過率低下を防ぐことが可能となる。従って、従来の照明機能付携帯機器に比較して、ＬＥＤ非点灯時のデザイン性を保ちつつ、暗所にてより明るく被写体を照らすことができるものである。
【発明を実施するための最良の形態】
【００１１】
実施の形態１．
以下、この発明の実施の形態１を図にもとづいて説明する。なお、この実施の形態は、
携帯機器の一例であるカメラ及び照明機能付携帯電話機にこの発明を適用した場合を例示しているが、この発明は携帯電話機に限定されるものではない。
【００１２】
図１は、実施の形態１の構成を示す概略図である。携帯機器本体である携帯電話機（図示せず）の内部にはカメラと、このカメラの撮影方向に向けて投光するカメラ補助照明の光源であるＬＥＤ２が装着されており、その前面には拡散シート等の非透過シート１が配設されている。この非透過シート１は、制御回路３によって制御されるアクチュエータ５に設けられた係合部５Ａと係合され、図１に矢印５Ｂで示すように、ＬＥＤ２の前面から図中に破線で示す他の位置へ移動させることができるようにされている。
【００１３】
また、制御回路３はＬＥＤ駆動回路４をも制御するようにされており、ＬＥＤ２の点灯時にはこのＬＥＤ駆動回路４を動作させることにより、ＬＥＤ２に電気を供給することができる。なお、図中の６はＬＥＤ２を覆うと共に、ＬＥＤ２の光を透過させるウインドウを示し、７はＬＥＤ２からウインドウ６を経て外部に照射されるＬＥＤ光を示す。
【００１４】
ＬＥＤ２が非点灯の状態では、非透過シート１は図１に実線で示すように、ＬＥＤ２の前面に位置するようにされており、携帯電話機のウインドウ６越しにＬＥＤ２が外部に透けて見えることを防止している。また、ＬＥＤ２を点灯させる場合には、制御回路３がアクチュエータ５及び係合部５Ａを介して非透過シート１を図において矢印５Ｂで示すように、図中で左方向に移動させ、ＬＥＤ２の前面から破線で示す他の位置へ移動させてＬＥＤ光７の透過率低下を防ぐ。
【００１５】
この結果、非透過シート１がＬＥＤ２の前面に位置していた場合よりも明るく被写体を照らすことができる。
実施の形態１は以上のように構成されているため、従来の携帯電話機に比較して、ＬＥＤ２の非点灯時にＬＥＤ２がウインドウ６越に透けて見えるのを防ぐと共に、高いデザイン性を保ちつつ、暗所にてより明るく被写体を照らすことができる。
【００１６】
実施の形態２．
次に、この発明の実施の形態２を図にもとづいて説明する。図２は、実施の形態２の構成を示す概略図で、実施の形態１と同様に、カメラ及び照明機能付携帯電話機にこの発明を適用した場合の構成を例示するものである。この図において、図１と同一または相当部分には同一符号を付して説明を省略する。図１と異なる点は、非透過シート１に代えて電子シャッタ８をＬＥＤ２の前面に設け、シャッタの開閉を制御回路３で制御するようにした点である。このため、アクチュエータ５及び係合部５Ａは不要となる。
【００１７】
この電子シャッタ８は液晶シートとこの液晶シートを挟み込んだ２枚の板ガラスとで構成されるものであり、２枚の板ガラス間に電圧をかけると液晶が一定方向に整列して透明状態になり、電圧をかけないと液晶が不規則に並んで光を拡散することで不透明状態になるものである。
【００１８】
ＬＥＤ２が非点灯の状態では、制御回路３によって電子シャッタ８を閉じる。
これによって、携帯電話機のウインドウ６越しにＬＥＤ２が透けて見えることを防止できる。また、ＬＥＤ２を点灯させる場合には、制御回路３によって電子シャッタ８を開く。
これによってＬＥＤ光７がそのまま照射されるため、明るく被写体を照らすことができる。
【００１９】
実施の形態２は以上のように構成されているため、実施の形態１と同様に、ＬＥＤ２の非点灯時にＬＥＤ２がウインドウ６越に透けて見えるのを防ぐと共に、高いデザイン性を保ちつつ、暗所にてより明るく被写体を照らすことができる。
【００２０】
実施の形態３．
次に、この発明の実施の形態３を図にもとづいて説明する。図３は、実施の形態３の構成を示す概略図で、実施の形態１及び２と同様に、カメラ及び照明機能付携帯電話機にこの発明を適用した場合の構成を例示するものである。この図において、図２と同一または相当部分には同一符号を付して説明を省略する。図２と異なる点は、ＬＥＤ２と電子シャッタ８との間にレンズ９を設けた点である。
【００２１】
レンズ９を設けることにより、ＬＥＤ２の点灯時に実施の形態２の携帯電話機より効率良くＬＥＤ光７を取り出すことができる。
【００２２】
なお、上記各実施の形態では、ＬＥＤ２の点灯時にＬＥＤ光をそのまま照射させ、ＬＥＤ２の非点灯時にウインドウ越しにＬＥＤが透けて見えないように構成しているが、必ずしもＬＥＤの点灯、非点灯に従って非透過シート１や電子シャッタ８を動作させなくてもよい。即ち、カメラ及び照明機能付携帯電話機は、一般に、カメラ撮影するカメラ動作モードと携帯電話機本来の音声通話動作モードやパケット通信動作モードがある。
そして、カメラ動作モード時には頻繁にカメラ撮影する可能性があるので、カメラ動作モード時にＬＥＤ光をそのまま照射させ、その他の動作モード時にウインドウ越しにＬＥＤが透けて見えないように構成してもよい。
【００２３】
また、上記各実施の形態では、非透過シート１や電子シャッタ８を用いるものとしているが、発光ダイオードの点灯時に光を透過させ、上記発光ダイオードの非点灯時に光の透過を規制するような光透過規制手段であれば同様な作用効果を奏することができる。
【産業上の利用可能性】
【００２４】
この発明の活用例として、カメラ補助照明等の照明機能を有する携帯端末機器に利用することができる。
【図面の簡単な説明】
【００２５】
【図１】この発明の実施の形態１の構成を示す概略図である。
【図２】この発明の実施の形態２の構成を示す概略図である。
【図３】この発明の実施の形態３の構成を示す概略図である。
【符号の説明】
【００２６】
１  拡散シート、      ２  ＬＥＤ、      ３  制御回路、
４  ＬＥＤ駆動回路、      ５  アクチュエータ、      ６  ウインドウ、
７  ＬＥＤ光、      ８  電子シャッタ、      ９  レンズ。
【図１】
2005164963.tif 000003
【図２】
2005164963.tif 000004
【図３】
2005164963.tif 000005